(57)【特許請求の範囲】
【請求項１】
棒状化粧品を支持する皿、この皿の底面中央部より下方へ突出する下端部を除く外周部にねじ山が形成されたねじ棒とからなる皿部材と、この皿部材のねじ棒のねじ山と螺合するほぼ半回転あるいは１回転の雌ねじ部が上部内壁面に形成された螺旋体とを備える棒状化粧品の収納容器において、前記螺旋体の雌ねじ部の対向する部位あるいは一部に形成された軸心方向のねじ溝と、前記皿部材のねじ棒のねじ山の下部と一体形成された、前記螺旋体のねじ溝を通過できる回転防止片と、この回転防止片の下部位置と一体となるように前記皿部材のねじ棒に形成され、あるいは該回転防止片の下部位置に隙間を介して形成されるとともに、前記皿部材を上死点に位置させると前記螺旋体の雌ねじ部のねじ溝内に形成された抜け止め突片が前記隙間に位置する、該ねじ溝内へ挿入することができる抜け止め防止手段とからなることを特徴とする棒状化粧品の収納容器。
【請求項２】
抜け止め防止手段は回転防止片の下部位置と一体となるように皿部材のねじ棒に、該回転防止片より外方へ突出するように形成された突片であることを特徴とする請求項１記載の棒状化粧品の収納容器。
【発明の詳細な説明】
【技術分野】
【０００１】
本発明は口紅、リップクリーム、アイライン等の棒状化粧品を収納する棒状化粧品の収納容器に関する。
【背景技術】
【０００２】
従来の棒状化粧品を収納する皿、この皿の底面中央部より下方へ突出する外周部にねじ山が形成されたねじ棒とからなる皿部材と、この皿部材のねじ棒のねじ山と螺合するほぼ1回転の雌ねじ部が上部内壁面に形成された螺旋体とを備える棒状化粧品の収納容器は、前記ねじ棒の下端部に雌ねじ部を押し込みにより通過するストッパー部を形成している。
このようなストッパー部を形成したものは皿部材を上死点に位置させるように回転させると、ストッパー部にジャッキーのような作用をして、ストッパー部が損傷してしまうなどの不具合があった。
この不具合を解消するために、ねじ棒の下端部寄りの部位をコ字状に切欠部を形成してストッパー片を形成して、このストッパー片で皿部材を上死点に位置させるように回動させるとストッパー片で回転を止めることも考えられているが、皿部材を螺旋体にセットする場合、皿部材のストッパー片が螺旋体の雌ねじ部を通過させなければならず、頑丈なストッパー片を形成することができず、ストッパー片が弱いと回転時のねじ力に負けて、皿部材が螺旋体より外れてしまうという欠点があった。
【先行技術文献】
【特許文献】
【０００３】
【特許文献１】特開平８−１２６５２６
【発明の概要】
【発明が解決しようとする課題】
【０００４】
本発明は以上のような従来の欠点に鑑み、螺旋体と皿部材のセット作業を容易に行なうことができるとともに、皿部材を上死点に位置させるように回動させると、上死点部位で皿部材と螺旋体との回動を不能にでき、かつ皿部材が螺旋体より抜けたりする不具合を確実に阻止することができる棒状化粧品の収納容器を提供することを目的としている。
【０００５】
本発明の前記ならびにそのほかの目的と新規な特徴は次の説明を添付図面と照らし合わせて読むと、より完全に明らかになるであろう。
【０００６】
ただし、図面はもっぱら解説のためのものであって、本発明の技術的範囲を限定するものではない。
【課題を解決するための手段】
【０００７】
上記目的を達成するために、本発明は棒状化粧品を支持する皿、この皿の底面中央部より下方へ突出する下端部を除く外周部にねじ山が形成されたねじ棒とからなる皿部材と、この皿部材のねじ棒のねじ山と螺合するほぼ半回転あるいは１回転の雌ねじ部が上部内壁面に形成された螺旋体とを備える棒状化粧品の収納容器において、前記螺旋体の雌ねじ部の対向する部位あるいは一部に形成された軸心方向のねじ溝と、前記皿部材のねじ棒のねじ山の下部と一体形成された、前記螺旋体のねじ溝を通過できる回転防止片と、この回転防止片の下部位置と一体となるように前記皿部材のねじ棒に形成され、あるいは該回転防止片の下部位置に隙間を介して形成されるとともに、前記皿部材を上死点に位置させると前記螺旋体の雌ねじ部のねじ溝内に形成された抜け止め突片が前記隙間に位置する、該ねじ溝内へ挿入することができる抜け止め防止手段とで棒状化粧品の収納容器を構成している。
【発明の効果】
【０００８】
以上の説明から明らかなように、本発明にあっては次に列挙する効果が得られる。
（１）請求項1によって、螺旋体の雌ねじ部のねじ溝に皿部材のねじ棒の下部位置の回転防止片を位置させ、押し込み、皿部材と螺旋体を回転させることにより皿部材のねじ棒のねじ山と螺旋体の雌ねじ部とが螺合し、皿部材を螺旋体に対し上下移動させることができる。
【０００９】
したがって、螺旋体への皿部材のセット作業を容易に行なうことができる。
（２）前記（１）によって、皿部材を上死点に位置させると、皿部材のねじ棒に形成された回転防止片が螺旋体の雌ねじ部の端部と衝突して、それ以上の回動が不能となる。
【００１０】
このため、不必要な力が加わっても、従来のようにねじ力が加わったりすることなく、損傷を効率よく阻止することができる。
（３）前記（１）によって、皿部材を上死点に位置させると、抜け止め防止手段によって、螺旋体より皿部材が抜けるのを確実に防止することができる。
（４）前記（１）によって、回転防止片と抜け止め防止手段を設けるだけでよいので、構造が簡単で、容易に実施することができる。
（５）請求項２も前記（１）〜（４）と同様な効果が得られるとともに、回転防止片と抜け止め防止手段を逆Ｌ字状に一体形成でき、容易に製造することができる。
【図面の簡単な説明】
【００１１】
【図１】本発明を実施するための第１の形態の縦断面図。
【図２】本発明を実施するための第１の形態の皿部材の正面図。
【図３】本発明を実施するための第１の形態の皿部材の側面図。
【図４】本発明を実施するための第１の形態の皿部材の底面図。
【図５】本発明を実施するための第１の形態の螺旋体の正面図。
【図６】本発明を実施するための第１の形態の螺旋体の平面図。
【図７】図6の７−７線に沿う断面図。
【図８】本発明を実施するための第１の形態の筒部材の一部破断説明図。
【図９】本発明を実施するための第１の形態の皿部材を螺旋体にセットする時の押し込み状態の説明図。
【図１０】本発明を実施するための第１の形態の皿部材を上・下移動させる状態の説明図。
【図１１】本発明を実施するための第１の形態の皿部材を上死点に位置させた状態の説明図。
【図１２】図１１の１２−１２線に沿う断面図。
【図１３】本発明を実施するための第２の形態の縦断面図。
【図１４】本発明を実施するための第２の形態の皿部材の正面図。
【図１５】本発明を実施するための第２の形態の皿部材の側面図。
【図１６】本発明を実施するための第２の形態の皿部材の底面図。
【図１７】本発明を実施するための第２の形態の螺旋部材の正面図。
【図１８】本発明を実施するための第２の形態の螺旋部材の平面図。
【図１９】図１８の１９−１９線に沿う断面図。
【図２０】本発明を実施するための第２の形態の皿部材を上死点に位置させた状態の説明図。
【図２１】本発明を実施するための第３の形態の縦断面図。
【図２２】本発明を実施するための第３の形態の皿部材の説明図。
【図２３】本発明を実施するための第３の形態の螺旋体の説明図。
【図２４】本発明を実施するための第４の形態の縦断面図。
【図２５】本発明を実施するための第４の形態の皿部材の正面図。
【図２６】本発明を実施するための第４の形態の皿部材の側面図。
【図２７】本発明を実施するための第４の形態の螺旋体の一部破断説明図。
【図２８】本発明を実施するための第４の形態の皿部材を上死点に位置させた状態の説明図。
【発明を実施するための形態】
【００１２】
以下、図面に示す本発明を実施するための形態により、本発明を詳細に説明する。
【００１３】
図１ないし図１２に示す本発明を実施するための第１の形態において、１は本発明の口紅等の棒状化粧品２を収納する棒状化粧品の収納容器で、この棒状化粧品の収納容器１は上部外周部にキャップ嵌合部３が形成されたハカマ部材４と、このハカマ部材４内に挿入固定された合成樹脂材製の螺旋体５と、この螺旋体５に螺合された合成樹脂材製の皿部材６と、この皿部材６の外周部を覆う下端部が前記螺旋体５に回転可能に嵌合された筒部材７と、この筒部材７を覆い、下端部が前記ハカマ部材４のキャップ嵌合部３と着脱可能に嵌合するキャップ８とで構成されている。
【００１４】
前記皿部材６は図２ないし図４に示すように、口紅等の棒状化粧品２の下部を収納支持する皿９と、この皿９の下部寄りの外周部に軸心方向にわずかに突出形成された複数個の係合片１０、１０、１０、１０と、前記皿９の底面中央部より下方へ突出し、かつ下端部を除く部位の外周部に２条のねじ山１１、１１が形成されたねじ棒１２と、このねじ棒１２のねじ山１１、１１の下端部と一体形成された軸心方向の回転防止片１３、１３と、この回転防止片１３、１３の下端部と一体形成された、該回転防止片１３、１３とで逆Ｌ字状となる突片２２、２２で構成した抜け止め防止手段２３、２３とで構成されている。
【００１５】
前記螺旋体５は図５ないし図７に示すように、筒状の螺旋体本体１４と、この螺旋体本体１４の上部外周部に形成された前記筒部材７の下部内へ挿入される筒部材挿入凹部１５と、この筒部材挿入凹部１５の上部位置の前記螺旋体本体１４の外周部に形成されたＯリング１６を挿入するＯリング挿入リング溝１７と、このＯリング挿入リング溝１７の下部位置で、かつ筒部材挿入凹部１５位置の前記螺旋体本体１４の外周部に形成された、前記筒部材７を回転可能にカシメ部１８を位置させるカシメ凹部１９と、前記螺旋体本体１４の上部内壁面に形成された対向する部位に前記突片２２、２２と前記回転防止片１３、１３が挿入される幅寸法の軸心方向のねじ溝２０、２０が形成された、前記皿部材６のねじ山１１、１１と螺合するほぼ半回転の雌ねじ部２１、２１とで構成されている。
【００１６】
前記筒部材７は図８に示すように、上面が傾斜面２４に形成された筒部材本体２５と、この筒部材本体２５の上端部および下端部を除く内壁面に形成された、
前記皿部材６の複数個の係合片１０、１０、１０、１０と係合する係合凹部２６、２６、２６、２６とで構成されている。
【００１７】
上記構成の棒状化粧品の収納容器１は、螺旋体５の雌ねじ部２１、２１のねじ溝２０、２０内に皿部材６のねじ棒１２の突片２２、２２と回転防止片１３、１３とを位置させ、図９に示すようにねじ棒１２のねじ山１１、１１が雌ねじ部２１、２１と衝突する位置まで押し込む。
【００１８】
しかる後、図１０に示すように皿部材６と螺旋体５とを、皿部材６が下降するように回動させると、皿部材６のねじ棒１２のねじ山１１、１１が螺旋体５の雌ねじ部２１、２１と螺合する。このため、皿部材６と螺旋体５とを正・逆回転させることにより、皿部材６を上下移動させることができる。
【００１９】
皿部材６を上死点に位置させると、図１１および図１２に示すように皿部材６のねじ棒１２の回転防止片１３、１３が螺旋体５の雌ねじ部２１、２１の端部２１ａ、２１ａと衝突して、それ以上の回転を阻止するとともに、抜け止め防止手段２３、２３の突片２２、２２の上面が、螺旋体５の雌ねじ部２１、２１の端部２１ａ、２１ａ寄りの下端部と当接し、皿部材６が螺旋体５より抜けるのを防止する。
【００２０】
皿部材６と螺旋体５とをセットした後、螺旋体５のＯリング挿入リング溝１７内にＯリング１６をセットし、筒部材７の下端部に螺旋体５の筒部材挿入凹部１５を挿入し、カシメ凹部１９部位でカシメ部１８を形成して、筒部材７を回転可能に取付ける。
【００２１】
この時、皿部材６の皿９の係合片１０、１０、１０、１０が筒部材７の係合凹部２６、２６、２６、２６と係合させ、皿部材６を筒部材７内を上下移動でき、かつ一体的に回動できるように取付ける。
【００２２】
その後、螺旋体５をハカマ部材４で覆うとともに、ハカマ部材４のキャップ嵌合部３にキャップ８を取付けることにより、組立てが完了する。
【００２３】
[発明を実施するための異なる形態]
次に、図１３ないし図２８に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２４】
図１３ないし図２０に示す本発明を実施するための第２の形態において、前記本発明を実施するための第１の形態と主に異なる点は、螺旋体５Ａの雌ねじ部２１、２１のねじ溝２０、２０内に抜け止め突片２７、２７を形成するとともに、皿部材６Ａの回転防止片１３、１３の下部位置に前記抜け止め突片２７、２７が入り込む隙間２８、２８を介して、該回転防止片２７、２７の幅寸法とほぼ同じ幅寸法の係止片２９、２９を形成した抜け止め防止手段２３Ａ、２３Ａを用いた点で、このような抜け止め防止手段２３Ａ、２３Ａを用いて構成した棒状化粧品の収納容器１Ａにしても、前記本発明を実施するための第１の形態と同様な作用効果が得られる。  
【００２５】
図２１ないし図２３に示す本発明を実施するための第３の形態において、前記本発明を実施するための第１の形態と主に異なる点は、１条のねじ山１１Ａと１個の回転防止片２７および１個の突片２２の抜け止め防止手段２３Ｂを備える皿部材６Ｂと、１個のねじ溝２０が形成された雌ねじ部２１Ａを有する螺旋体５Ｂを用いた点で、このような皿部材６Ｂと螺旋体５Ｂを用いて構成した棒状化粧品の収納容器１Ｂにしても、前記本発明を実施するための第１の形態と同様な作用効果が得られる。
【００２６】
図２４ないし図２８に示す本発明を実施するための第４の形態において、前記本発明を実施するための第２の形態と主に異なる点は、雌ねじ部２１、２１が形成された部位の上部よりも下部位置の内径が大きくなる螺旋体５Ｃを用いるとともに、ねじ棒１２にねじ山１１、１１より高い寸法の抜け止め防止手段２３Ｃとしての係止片２９を形成した皿部材６Ｃと、螺旋体５Ｃの雌ねじ部２１の端部の下部内壁面に回転防止片１３、１３を形成した点で、このような皿部材６Ｃと螺旋体５Ｃとを用いて構成した棒状化粧品の収納容器１Ｃにしても、前記本発明を実施するための第２の形態と同様な作用効果が得られる。
【産業上の利用可能性】
【００２７】
本発明は口紅、リップクリーム、アイライン等の棒状化粧品の収納容器を製造する産業で利用される。
【符号の説明】
【００２８】
１、１Ａ、１Ｂ、１Ｃ：棒状化粧品の収納容器、
２：棒状化粧品、      ３：キャップ嵌合部、
４：ハカマ部材、        ５、５Ａ、５Ｂ、５Ｃ：螺旋体、
６、６Ａ、６Ｂ、６Ｃ：皿部材、  ７：筒部材、
８：キャップ、      ９：皿、
１０：係合片、      １１、１１Ａ：ねじ山、
１２、１２Ａ：ねじ棒、    １３：回転防止片、
１４：螺旋体本体、      １５：筒部材挿入凹部、
１６：Ｏリング、      １７：Ｏリング挿入リング溝、
１８：カシメ部、      １９：カシメ凹部、
２０：ねじ溝、      ２１：雌ねじ部、
２２：突片、        
２３、２３Ａ、２３Ｂ、２３Ｃ：抜け止め防止手段、
２４：傾斜面、      ２５：筒部材本体、
２６：係合凹部、      ２７：抜け止め突片、
２８：隙間、      
【図１】
0005470004.tif 000002
【図２】
0005470004.tif 000003
【図３】
0005470004.tif 000004
【図４】
0005470004.tif 000005
【図５】
0005470004.tif 000006
【図６】
0005470004.tif 000007
【図７】
0005470004.tif 000008
【図８】
0005470004.tif 000009
【図９】
0005470004.tif 000010
【図１０】
0005470004.tif 000011
【図１１】
0005470004.tif 000012
【図１２】
0005470004.tif 000013
【図１３】
0005470004.tif 000014
【図１４】
0005470004.tif 000015
【図１５】
0005470004.tif 000016
【図１６】
0005470004.tif 000017
【図１７】
0005470004.tif 000018
【図１８】
0005470004.tif 000019
【図１９】
0005470004.tif 000020
【図２０】
0005470004.tif 000021
【図２１】
0005470004.tif 000022
【図２２】
0005470004.tif 000023
【図２３】
0005470004.tif 000024
【図２４】
0005470004.tif 000025
【図２５】
0005470004.tif 000026
【図２６】
0005470004.tif 000027
【図２７】
0005470004.tif 000028
【図２８】
0005470004.tif 000029